【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ワイヤレスデバイスによって、第１のトレーニングフィールドを備え、第１のシンボル持続時間を有する第１の部分と、前記第１のシンボル持続時間よりも大きい第２のシンボル持続時間を有する第２の部分とを決定することと、
前記ワイヤレスデバイスによって、前記第１の部分と前記第２の部分とを備えるパケットを生成することと、ここで、前記第２の部分が、前記第２のシンボル持続時間と、前記第１のトレーニングフィールドの周期性の少なくとも２倍の周期性を有する、第２のトレーニングフィールドを備える、
前記ワイヤレスデバイスによって、異なるワイヤレスデバイスに、前記パケットを送信することと
を備える、方法。
【請求項２】
前記パケットが前記第１の部分の後に信号フィールドをさらに備え、前記信号フィールドが前記第２のシンボル持続時間を有する、請求項１に記載の方法。
【請求項３】
前記パケットが前記第１の部分の後に１つまたは複数のシンボルをさらに備え、前記シンボルが前記第１のシンボル持続時間を有する、請求項１に記載の方法。
【請求項４】
前記第１の部分が信号フィールドを備え、
前記第２の部分が前記信号フィールドの複数の繰り返し部分を備え、前記繰り返し部分が前記第２のシンボル持続時間を有する、
請求項１に記載の方法。
【請求項５】
前記複数の繰り返し部分が、前記信号フィールドのキャリアトーンのサブセットを備える、請求項４に記載の方法。
【請求項６】
前記方法が、
前記第１の部分に前記第１のシンボル持続時間を有する１つまたは複数のシンボルをアペンドすることと、
前記第２のトレーニングフィールドの利得をブーストすることと、
前記１つまたは複数のシンボルに前記第２のトレーニングフィールドをアペンドすることと
をさらに備える、請求項１に記載の方法。
【請求項７】
前記パケットが、スケジュールされたマルチユーザ（ＭＵ）直交周波数分割多元接続（ＯＦＤＭＡ）アップリンク（ＵＬ）パケットを備える、請求項１に記載の方法。
【請求項８】
前記パケットが、スケジュールされていないシングルユーザ（ＳＵ）直交周波数分割多元接続（ＯＦＤＭＡ）アップリンク（ＵＬ）パケットを開始する、請求項１に記載の方法。
【請求項９】
前記第２のトレーニングフィールドの受信デバイスの自己相関が、前記第２のトレーニングフィールドの前記周期性で、前記受信デバイスから前記第２のトレーニングフィールドを非表示にする出力を生成するように、前記第２のトレーニングフィールドを生成することをさらに備える、請求項１に記載の方法。
【請求項１０】
前記受信機における前記自己相関の正規化された出力が実質的にゼロであるように前記第２のトレーニングフィールドを生成することをさらに備える、請求項９に記載の方法。
【請求項１１】
１つおきの第２のトレーニングフィールドショートの極性をフリップすることをさらに備える、請求項１に記載の方法。
【請求項１２】
前記第２のトレーニングフィールドを、低レートショートトレーニングフィールド（ＬＲ−ＳＴＦ）として生成することをさらに備える、請求項１１に記載の方法。
【請求項１３】
ワイヤレス通信の装置であって、
ハードウェアプロセッサであって、
第１のトレーニングフィールドを備え、第１のシンボル持続時間を有する第１の部分と、前記第１のシンボル持続時間よりも大きい第２のシンボル持続時間を有する第２の部分とを決定することと、
前記第１の部分と前記第２の部分とを備えるパケットを生成することと、ここで、前記第２の部分が、前記第２のシンボル持続時間と、前記第１のトレーニングフィールドの周期性の少なくとも２倍の周期性を有する、第２のトレーニングフィールドを備える、
を行うように構成されたハードウェアプロセッサと、
異なる装置に前記パケットを送信するように構成された送信機と
を備える、装置。
【請求項１４】
前記パケットが前記第１の部分の後に信号フィールドをさらに備え、前記信号フィールドが前記第２のシンボル持続時間を有する、請求項１３に記載の装置。
【請求項１５】
前記パケットが前記第１の部分の後に１つまたは複数のシンボルをさらに備え、前記シンボルが前記第１のシンボル持続時間を有する、請求項１３に記載の装置。
【請求項１６】
前記第１の部分が信号フィールドを備え、
前記第２の部分が前記信号フィールドの複数の繰り返し部分を備え、前記繰り返し部分が前記第２のシンボル持続時間を有する、
請求項１３に記載の装置。
【請求項１７】
前記複数の繰り返し部分が、前記信号フィールドのキャリアトーンのサブセットを備える、請求項１６に記載の装置。
【請求項１８】
前記ハードウェアプロセッサが、
前記第１の部分に前記第１のシンボル持続時間を有する１つまたは複数のシンボルをアペンドすることと、
前記第２のトレーニングフィールドの利得をブーストすることと、
前記１つまたは複数のシンボルに前記第２のトレーニングフィールドをアペンドすることと
を行うように構成された、請求項１３に記載の装置。
【請求項１９】
前記パケットが、スケジュールされたマルチユーザ（ＭＵ）直交周波数分割多元接続（ＯＦＤＭＡ）アップリンク（ＵＬ）パケットを備える、請求項１３に記載の装置。
【請求項２０】
前記パケットが、スケジュールされていないシングルユーザ（ＳＵ）直交周波数分割多元接続（ＯＦＤＭＡ）アップリンク（ＵＬ）パケットを開始する、請求項１３に記載の装置。
【請求項２１】
前記ハードウェアプロセッサが、前記第２のトレーニングフィールドの受信デバイスの自己相関が、前記第２のトレーニングフィールドの前記周期性で、前記受信デバイスから前記第２のトレーニングフィールドを非表示にする出力を生成するように、前記第２のトレーニングフィールドを生成するようにさらに構成された、請求項１３に記載の装置。
【請求項２２】
前記自己相関の正規化された出力が実質的にゼロである、請求項２１に記載の装置。
【請求項２３】
前記ハードウェアプロセッサが、１つおきの第２のトレーニングフィールドショートの極性をフリップするようにさらに構成された、請求項１３に記載の装置。
【請求項２４】
前記ハードウェアプロセッサが、前記第２のトレーニングフィールドを、低レートショートトレーニングフィールド（ＬＲ−ＳＴＦ）として生成するようにさらに構成された、請求項２３に記載の装置。
【請求項２５】
ワイヤレス通信の装置であって、
第１のトレーニングフィールドを備え、第１のシンボル持続時間を有する第１の部分と、前記第１のシンボル持続時間よりも大きい第２のシンボル持続時間を有する第２の部分とを決定するための手段と、
前記第１の部分と前記第２の部分とを備えるパケットを生成するための手段と、ここで、前記第２の部分が、前記第２のシンボル持続時間と、前記第１のトレーニングフィールドの周期性の少なくとも２倍の周期性を有する、第２のトレーニングフィールドを備える、
前記装置によって、異なる装置に、前記パケットを送信するための手段と
を備える、装置。
【請求項２６】
前記パケットが前記第１の部分の後に信号フィールドをさらに備え、前記信号フィールドが前記第２のシンボル持続時間を有する、請求項２５に記載の装置。
【請求項２７】
前記パケットが前記第１の部分の後に１つまたは複数のシンボルをさらに備え、前記シンボルが前記第１のシンボル持続時間を有する、請求項２５に記載の装置。
【請求項２８】
前記第１の部分が信号フィールドを備え、
前記第２の部分が前記信号フィールドの複数の繰り返し部分を備え、前記繰り返し部分が前記第２のシンボル持続時間を有する、
請求項２５に記載の装置。
【請求項２９】
前記複数の繰り返し部分が、前記信号フィールドのキャリアトーンのサブセットを備える、請求項２８に記載の装置。
【請求項３０】
前記パケットが、スケジュールされたマルチユーザ（ＭＵ）直交周波数分割多元接続（ＯＦＤＭＡ）アップリンク（ＵＬ）パケットを備える、請求項２５に記載の装置。
【請求項３１】
非一時的コンピュータ可読媒体であって、
実行されたとき、装置に、
第１のトレーニングフィールドを備え、第１のシンボル持続時間を有する第１の部分と、前記第１のシンボル持続時間よりも大きい第２のシンボル持続時間を有する第２の部分とを決定することと、
前記第１の部分と前記第２の部分とを備えるパケットを生成することと、ここで、前記第２の部分が、前記第２のシンボル持続時間と、前記第１のトレーニングフィールドの周期性の少なくとも２倍の周期性を有する、第２のトレーニングフィールドを備える、
異なる装置に前記パケットを送信することと
を行わせるコードを備える、非一時的コンピュータ可読媒体。
【請求項３２】
前記第２のトレーニングフィールドの受信デバイスの自己相関が、前記第２のトレーニングフィールドの前記周期性で、前記受信デバイスから前記第２のトレーニングフィールドを非表示にする出力を生成するように、前記第２のトレーニングフィールドを生成することをさらに備える、請求項３１に記載の非一時的コンピュータ可読媒体。
【請求項３３】
実行されたとき、前記装置に、前記自己相関の正規化された出力が実質的にゼロであるように前記第２のトレーニングフィールドを生成することを行わせるコードをさらに備える、請求項３２に記載の非一時的コンピュータ可読媒体。
【請求項３４】
実行されたとき、前記装置に、１つおきの第２のトレーニングフィールドショートの極性をフリップすることを行わせるコードをさらに備える、請求項３１に記載の非一時的コンピュータ可読媒体。
【請求項３５】
実行されたとき、前記装置に、前記第２のトレーニングフィールドを、低レートショートトレーニングフィールド（ＬＲ−ＳＴＦ）として生成することを行わせるコードをさらに備える、請求項３４に記載の非一時的コンピュータ可読媒体。
【手続補正２】
【補正対象書類名】明細書
【補正対象項目名】０１３０
【補正方法】変更
【補正の内容】
【０１３０】
[00142]上記は本開示の態様を対象とするが、本開示の他の態様およびさらなる態様は、それの基本的範囲から逸脱することなく考案され得、それの範囲は以下の特許請求の範囲によって決定される。
以下に、本願の出願当初の特許請求の範囲に記載された発明を付記する。
［Ｃ１］
ワイヤレス通信の方法であって、
ワイヤレスデバイスにおいて、第１のシンボル持続時間を有する第１の部分と、前記第１のシンボル持続時間よりも大きい第２のシンボル持続時間を有する第２の部分とを備えるパケットを生成することと、ここで、前記第１の部分が第１のトレーニングフィールドを備える、
前記第１の部分に第２のトレーニングフィールドをプリペンドまたはアペンドすることと、ここで、前記第２のトレーニングフィールドが前記第２のシンボル持続時間を有する、
前記パケットを送信することと
を備える、方法。
［Ｃ２］
前記プリペンドまたはアペンドすることが、前記第１の部分に前記第２のトレーニングフィールドをプリペンドすることを備え、前記第２のトレーニングフィールドが、前記第１のトレーニングフィールドの周期性とは異なる周期性を有する、Ｃ１に記載の方法。
［Ｃ３］
前記第２のトレーニングフィールドが、前記第１のトレーニングフィールドの前記周期性の少なくとも２倍の周期性を有する、Ｃ２に記載の方法。
［Ｃ４］
前記パケットが前記第１の部分の後に信号フィールドをさらに備え、前記信号フィールドが前記第２のシンボル持続時間を有する、Ｃ２に記載の方法。
［Ｃ５］
前記パケットが前記第１の部分の後に１つまたは複数のシンボルをさらに備え、前記シンボルが前記第１のシンボル持続時間を有する、Ｃ２に記載の方法。
［Ｃ６］
前記第１の部分が信号フィールドを備え、
前記第２の部分が前記信号フィールドの複数の繰り返し部分を備え、前記繰り返し部分が前記第２のシンボル持続時間を有する、
Ｃ２に記載の方法。
［Ｃ７］
前記信号フィールドのｎ個の繰り返し部分が、それぞれ、前記信号フィールドのキャリアトーンのサブセットを備える、Ｃ６に記載の方法。
［Ｃ８］
前記プリペンドまたはアペンドすることが、
前記第１の部分に前記第１のシンボル持続時間を有する１つまたは複数のシンボルをアペンドすることと、
前記第２のトレーニングフィールドの利得をブーストすることと、
前記１つまたは複数のシンボルに前記第２のトレーニングフィールドをアペンドすることと
を備える、Ｃ１に記載の方法。
［Ｃ９］
前記パケットが、スケジュールされたマルチユーザ（ＭＵ）直交周波数分割多元接続（ＯＦＤＭＡ）アップリンク（ＵＬ）パケットを備える、Ｃ１に記載の方法。
［Ｃ１０］
前記パケットが、スケジュールされていないシングルユーザ（ＳＵ）直交周波数分割多元接続（ＯＦＤＭＡ）アップリンク（ＵＬ）パケットを開始する、Ｃ１に記載の方法。
［Ｃ１１］
ワイヤレス通信の装置であって、
プロセッサであって、
第１のシンボル持続時間を有する第１の部分と、前記第１のシンボル持続時間よりも大きい第２のシンボル持続時間を有する第２の部分とを備えるパケットを生成することと、ここで、前記第１の部分が第１のトレーニングフィールドを備える、
前記第１の部分に第２のトレーニングフィールドをプリペンドまたはアペンドすることと、ここで、前記第２のトレーニングフィールドが前記第２のシンボル持続時間を有する、
を行うように構成されたプロセッサと、
前記パケットを送信するように構成された送信機と
を備える、装置。
［Ｃ１２］
前記プロセッサが、前記第１の部分に前記第２のトレーニングフィールドをプリペンドするように構成され、前記第２のトレーニングフィールドが、前記第１のトレーニングフィールドの周期性とは異なる周期性を有する、Ｃ１１に記載の装置。
［Ｃ１３］
前記第２のトレーニングフィールドが、前記第１のトレーニングフィールドの前記周期性の少なくとも２倍の周期性を有する、Ｃ１２に記載の装置。
［Ｃ１４］
前記パケットが前記第１の部分の後に信号フィールドをさらに備え、前記信号フィールドが前記第２のシンボル持続時間を有する、Ｃ１２に記載の装置。
［Ｃ１５］
前記パケットが前記第１の部分の後に１つまたは複数のシンボルをさらに備え、前記シンボルが前記第１のシンボル持続時間を有する、Ｃ１２に記載の装置。
［Ｃ１６］
前記第１の部分が信号フィールドを備え、
前記第２の部分が前記信号フィールドの複数の繰り返し部分を備え、前記繰り返し部分が前記第２のシンボル持続時間を有する、
Ｃ１２に記載の装置。
［Ｃ１７］
前記信号フィールドのｎ個の繰り返し部分が、それぞれ、前記信号フィールドのキャリアトーンのサブセットを備える、Ｃ１５に記載の装置。
［Ｃ１８］
前記プロセッサが、
前記第１の部分に前記第１のシンボル持続時間を有する１つまたは複数のシンボルをアペンドすることと、
前記第２のトレーニングフィールドの利得をブーストすることと、
前記１つまたは複数のシンボルに前記第２のトレーニングフィールドをアペンドすることと
を行うように構成された、Ｃ１１に記載の装置。
［Ｃ１９］
前記パケットが、スケジュールされたマルチユーザ（ＭＵ）直交周波数分割多元接続（ＯＦＤＭＡ）アップリンク（ＵＬ）パケットを備える、Ｃ１１に記載の装置。
［Ｃ２０］
前記パケットが、スケジュールされていないシングルユーザ（ＳＵ）直交周波数分割多元接続（ＯＦＤＭＡ）アップリンク（ＵＬ）パケットを開始する、Ｃ１１に記載の装置。
［Ｃ２１］
ワイヤレス通信の装置であって、
第１のシンボル持続時間を有する第１の部分と、前記第１のシンボル持続時間よりも大きい第２のシンボル持続時間を有する第２の部分とを備えるパケットを生成するための手段と、ここで、前記第１の部分が第１のトレーニングフィールドを備える、
前記第１の部分に第２のトレーニングフィールドをプリペンドまたはアペンドするための手段と、ここで、前記第２のトレーニングフィールドが前記第２のシンボル持続時間を有する、
前記パケットを送信するための手段と
を備える、装置。
［Ｃ２２］
プリペンドまたはアペンドするための前記手段が、前記第１の部分に前記第２のトレーニングフィールドをプリペンドするための手段を備え、前記第２のトレーニングフィールドが、前記第１のトレーニングフィールドの周期性とは異なる周期性を有する、Ｃ２１に記載の装置。
［Ｃ２３］
前記第２のトレーニングフィールドが、前記第１のトレーニングフィールドの前記周期性の少なくとも２倍の周期性を有する、Ｃ２２に記載の装置。
［Ｃ２４］
前記パケットが前記第１の部分の後に信号フィールドをさらに備え、前記信号フィールドが前記第２のシンボル持続時間を有する、Ｃ２２に記載の装置。
［Ｃ２５］
前記パケットが前記第１の部分の後に１つまたは複数のシンボルをさらに備え、前記シンボルが前記第１のシンボル持続時間を有する、Ｃ２２に記載の装置。
［Ｃ２６］
前記第１の部分が信号フィールドを備え、
前記第２の部分が前記信号フィールドの複数の繰り返し部分を備え、前記繰り返し部分が前記第２のシンボル持続時間を有する、
Ｃ２２に記載の装置。
［Ｃ２７］
前記信号フィールドのｎ個の繰り返し部分が、それぞれ、前記信号フィールドのキャリアトーンのサブセットを備える、Ｃ２５に記載の装置。
［Ｃ２８］
プリペンドまたはアペンドするための前記手段が、
前記第１の部分に前記第１のシンボル持続時間を有する１つまたは複数のシンボルをアペンドするための手段と、
前記第２のトレーニングフィールドの利得をブーストするための手段と、
前記１つまたは複数のシンボルに前記第２のトレーニングフィールドをアペンドするための手段と
を備える、Ｃ２１に記載の装置。
［Ｃ２９］
前記パケットが、スケジュールされたマルチユーザ（ＭＵ）直交周波数分割多元接続（ＯＦＤＭＡ）アップリンク（ＵＬ）パケットを備える、Ｃ２１に記載の装置。
［Ｃ３０］
非一時的コンピュータ可読媒体であって、
実行されたとき、装置に、
第１のシンボル持続時間を有する第１の部分と、前記第１のシンボル持続時間よりも大きい第２のシンボル持続時間を有する第２の部分とを備えるパケットを生成することと、ここで、前記第１の部分が第１のトレーニングフィールドを備える、
前記第１の部分に第２のトレーニングフィールドをプリペンドまたはアペンドすることと、ここで、前記第２のトレーニングフィールドが前記第２のシンボル持続時間を有する、
前記パケットを送信することと
を行わせるコードを備える、非一時的コンピュータ可読媒体。